(57)【要約】【課題】ワイヤレスマイクを浄化室に自動的に収容し、かつワイヤレスマイクの音声入力部である頭部に付着した食品片などの除去を行うマイク保持具を提供すること。【解決手段】ワイヤレスマイクｗを保持するホルダ４ａは、水平軸ｅ２回りへ揺動可能である。位置保持機構部９は、ホルダ４ａ、４ｂがワイヤレスマイクｗを保持していない状態では起立姿勢に位置保持し、ワイヤレスマイクｗを保持したときには位置保持を解除する。浄化室３は、ホルダ４ａ、４ｂが位置保持を解除され水平軸ｅ２回りに倒れる過程で、ワイヤレスマイクｗの頭部ｗ１を受け入れ、室内の清浄部はワイヤレスマイクｗが倒れる過程で頭部ｗ１を摺擦する。【選択図】図１
0003169519.tif 000002
【実用新案登録請求の範囲】
【請求項１】
ワイヤレスマイクを保持し、水平軸回りへ揺動可能なホルダと、
前記ホルダが前記ワイヤレスマイクを保持していない状態では起立姿勢に位置保持し、前記ワイヤレスマイクを保持したときには前記位置保持を解除する位置保持機構部と、
前記ホルダが前記位置保持を解除され前記水平軸回りに倒れる過程で、前記ホルダに保持された前記ワイヤレスマイクの頭部を受け入れる浄化室と、
前記浄化室内に配置され、前記ワイヤレスマイクが前記水平軸回りへ倒れる過程で前記頭部を摺擦する清浄部とを備えたことを特徴とするマイク保持具。
【請求項２】
前記ホルダが前記ワイヤレスマイクを保持したとき、前記位置保持機構部による位置保持が解放されて、前記ホルダと前記ワイヤレスマイクの重心位置が前記水平軸からずれることにより前記水平軸回りに傾くことを特徴とする請求項１記載のマイク保持具。
【請求項３】
前記位置保持機構部は、前記ホルダを磁力で前記起立姿勢に吸着して位置保持する磁石であることを特徴とする請求項２記載のマイク保持具。
【請求項４】
前記浄化室には、前記ワイヤレスマイクの頭部に紫外線を照射する殺菌部を有することを特徴とする請求項１記載のマイク保持具。
【請求項５】
前記位置保持機構部は、前記ホルダに前記ワイヤレスマイクが挿入されたときにストッパーから外れて前記位置保持を解除され、前記ホルダの起立位置で前記ワイヤレスマイクが外されたときに前記ストッパーに係合する鍵であることを特徴とする請求項２記載のマイク保持具。
【考案の詳細な説明】
【技術分野】
【０００１】
本考案は、マイクロフォンに対し殺菌処理を行うマイク保持具に関する。
【背景技術】
【０００２】
カラオケなどで用いられるマイクロフォンに対し殺菌処理する装置は特許文献１及び２などに開示されている。また上記マイクロフォンのうち電源コードを有しないワイヤレスマイクに対し殺菌処理や充電を行う装置は特許文献３に開示されている。さらに上記マイクロフォンに対し殺菌処理に加えて送風処理や脱臭処理を実施する装置は特許文献４に開示されている。
【先行技術文献】
【特許文献】
【０００３】
【特許文献１】特開平９−１３１３８７号公報
【特許文献２】特開平９−６０８号公報
【特許文献３】実用新案登録第３１５７６１７号公報
【特許文献４】特開平１０−１１８１６２号公報
【考案の概要】
【考案が解決しようとする課題】
【０００４】
カラオケ店、スナック、パブ、居酒屋などでは飲食を楽しみながらカラオケ装置を利用することが行われている。記各特許文献に開示された装置は、何れも殺菌灯が配置された殺菌室などの収容空間にマイクを置かなければならず、扱いにくい。また、特許文献１では、マイクの殺菌室への移動に動力が必要となっている。さらに、音声入力するマイクロフォンの頭部にはその利用者の口内に残留した微細な食品片などが口内から飛び出て付着することが良くある。このように付着した食品片などは、そのものが不衛生であることのみならず、マイクロフォン用の殺菌装置による殺菌効果を減殺させることとなる。
【０００５】
上記各特許文献に開示された装置は、何れも、マイクロフォンの頭部に付着した食品片の除去についての開示は無い。本考案はこのような実情に鑑みて創案されたもので、ワイヤレスマイクを浄化室に自動的に収容し、かつワイヤレスマイクの音声入力部である頭部に付着した食品片などの除去を行うマイク保持具を提供することを目的とする。
【課題を解決するための手段】
【０００６】
ワイヤレスマイクを保持し、水平軸回りへ揺動可能なホルダと、前記ホルダが前記ワイヤレスマイクを保持していない状態では起立姿勢に位置保持し、前記ワイヤレスマイクを保持したときには前記位置保持を解除する位置保持機構部と、前記ホルダが前記位置保持を解除され前記水平軸回りに倒れる過程で、前記ホルダに保持された前記ワイヤレスマイクの頭部を受け入れる浄化室と、前記浄化室内に配置され、前記ワイヤレスマイクが前記水平軸回りに倒れる過程で前記頭部を摺擦する清浄部とを備えたことを特徴とする。
【考案の効果】
【０００７】
本考案によれば、ワイヤレスマイクの握り部を持ってこれを起立姿勢のホルダに嵌合するだけで、ワイヤレスマイクは自然力で傾斜姿勢となってその頭部を浄化室内に移動することが可能となる。また、ワイヤレスマイクが浄化室に入る際あるいは出る過程において、清浄部が頭部を摺擦するので衛生的にワイヤレスマイクを使用することが可能となる。
【図面の簡単な説明】
【０００８】
【図１】ホルダにワイヤレスマイクを垂直姿勢で保持し状態を示す斜視図である。
【図２】ホルダにワイヤレスマイクを保持した状態で傾斜させた状態を示す図である。
【図３】第１ブラシ部を示す斜視図である。
【図４】ワイヤレスマイクを保持させていない状態を示す図である。
【図５】ワイヤレスマイクの殺菌処理状態を示す図である。
【図６】図５に示す状態から１本のワイヤレスマイクをホルダから引き抜いて使用可能にした状態を示した図である。
【図７】位置保持機構部の他の例を示す図である。
【考案を実施するための形態】
【０００９】
以下、図面を参照して本考案に係るマイク保持具の実施例を説明する。
図１に示すように、本実施例によるマイク保持具１００は、ワイヤレスマイクｗに充電する充電部１０１と、ワイヤレスマイクｗの頭部ｗ１に付着した異物を除去する清浄部１０２と、充電部１０１による充電中に紫外線を照射して頭部ｗ１の殺菌を実行する殺菌部１０３とを備えている。マイク保持具１００は、図２に示すように側面視においてベース１、中間部２及び浄化室３の３つの領域に分割でき、側面視形状をＬ字形に近似した形状である。尚、図示例のマイク保持具１００は、２本のワイヤレスマイクｗを保持できる。
【００１０】
ベース１は充電部１０１を収容した平面的な広がりを有する箇所であり、上面ｂ６に楕円状の孔ｃ１、ｃ２が開口している。浄化室３は、清浄部１０２と殺菌部１０３とを収容する箇所であり、ワイヤレスマイクｗの頭部ｗ１が余裕を持って出入りできる程度の孔ｄ１、ｄ２が下に向かって開口している。中間部は、浄化室３をワイヤレスマイクｗの長さよりもやや短い間隔をもってベース１の上に位置付ける箇所である。
【００１１】
充電部１０１は、孔ｃ１、ｃ２に対応してベース１の内側に配置された２つのホルダ４ａ、４ｂを備えている。各ホルダ４ａ、４ｂはワイヤレスマイクｗの下端部を差し込まれる有底孔からなる嵌合孔ｅ１を有し、この嵌合孔ｅ１にワイヤレスマイクｗが差し込まれた状態において電源４ｃからワイヤレスマイクｗを充電する。各ホルダ４ａ、４ｂは円筒体形状であり、幅方向ａ１向きの水平軸ｅ２回りへ揺動するように装設している。
【００１２】
また各ホルダ４ａ、４ｂからはマイク支持部材５ａ，５ｂが上に向かって延設しており、それぞれのマイク支持部材５ａ，５ｂはホルダ４ａ、４ｂに固定された支柱部ｆ１と、開放リング部ｆ２を有している。開放リング部ｆ２は、支柱部ｆ１から張り出し状に形成されワイヤレスマイクｗの握り部を上から挿入されその長さ途中箇所を支持する。
浄化室３の内部に設置される清浄部１０２は、ブラシ毛ｇ１とこれを植設された台部材ｇ２とで形成されたブラシ具６である。図示例ではブラシ具６は、第１ブラシ具６ａ及び第２ブラシ具６ｂとで形成され、浄化室３の内側に装設される。
【００１３】
第１ブラシ具６ａは図３に示すように、ブラシ毛ｇ１群の先端面ｇ３が台形溝状となるように形成してあり、対応する孔ｄ１又はｄ２内に、幅方向ａ１向きの水平軸７回りの揺動自在としている。ブラシ具６ａの前方への揺動は図２中の実線で示す位置で規制されるように、ブラシ具６ａの台部ｇ２に当接されるストッパー８をマイク保持具１００に固定している。第２ブラシ具６ｂは、ホルダ４ａ、４ｂの嵌合孔ｅ１内に嵌合された状態のワイヤレスマイクｗの頭部ｗ１の上部後面に当接して後方への揺動を規制する。
【００１４】
ホルダ４ａ、４ｂとマイク保持具１００との間には、ホルダ４ａ、４ｂを互いに独立に起立姿勢に位置保持する位置保持機構部９がベース１の内側に設けてある。位置保持機構部９は、各ホルダ４ａ、４ｂよりも前側に位置した永久磁石９ａと、ホルダ４ａ、４ｂの前側に固定した磁性体９ｂとで形成されている。位置保持機構部９はホルダ４ａ、４ｂが起立した状態で、永久磁石９ａと磁性体９ｂとが磁力で吸着した状態とする。ワイヤレスマイクｗが嵌合孔ｅ１内に嵌合していないときは、ホルダ４ａ、４ｂの重心が水平軸ｅ２の後方に位置しているにも拘わらず、吸着力が起立保持力となりこの起立姿勢を位置保持する。しかし、嵌合孔ｅ１内にワイヤレスマイクｗを嵌合させたときには、ワイヤレスマイクｗとホルダ４ａ、４ｂの重量合算による回転モーメントにより永久磁石９ａと磁性体９ｂとの吸着力にも拘わらず、起立姿勢から解放され水平軸ｅ２の後方に倒れる。
【００１５】
この位置保持機構部９は他の均等な機能を有する手段で置き換えることは任意であり、ワイヤレスマイクｗを嵌合孔ｅ１内に嵌合したときにホルダ４ａ、４ｂの起立姿勢した位置保持が解除され、水平軸ｅ２の後方に重心があることにより倒れる構成であれば良い。例えば、図7に示すように、ワイヤレスマイクｗをホルダ４ａ、４ｂ内に嵌合したときに鍵１３ａ、１３ｂが外れる位置保持機構部とすることも可能である。この場合、ワイヤレスマイクｗがホルダ４ａ、４ｂに差し込まれると、鍵１３ａ、１３ｂが図中二方向に軸１４ａ、１４ｂを中心に回転する。これによりストッパー１２ａ、１２ｂから鍵が上昇して外れ、ワイヤレスマイクｗとホルダ４ａ、４ｂの自重により、後ろ側に倒れる（矢印ハ）。そして、ワイヤレスマイクｗを図中イ方向に起立させることにより、鍵１３ａ、１３ｂがストッパー１２ａ、１２ｂの前側に位置付き、ワイヤレスマイクｗをホルダ４ａ、４ｂから引き抜くことにより、鍵１３ａ、１３ｂが軸１４ａ、１４ｂに対する重心の不均衡により図中ロ方向に軸１４ａ、１４ｂを中心に回転して、ストッパー１２ａ、１２ｂに当たって係合する位置に降下する。尚、水平軸ｅ２の後方に重心があることによりワイヤレスマイクｗを水平軸ｅ２の後方に倒す力に加えて、さらにバネ力を付加して引き倒すようにしても良い。
【００１６】
殺菌部１０３としては、第１ブラシ具６ａ及び第２ブラシ具６ｂの間箇所の上側に幅方向ａ１向きに装設された紫外線を照射する殺菌ランプ１０ａが用いられる。殺菌ランプ１０ａは、ワイヤレスマイクｗを嵌合した状態でホルダ４ａ、４ｂが倒れ、第２ブラシ具６ｂに頭部ｗ１が当接したときに、紫外線を照射する。なお、電源スイッチ１１は殺菌ランプ１０ａに電力の供給を断続させるためのものであり、電源１０ｂは殺菌ランプ１０ａに電力を供給する。
【００１７】
次に上記のように形成したマイク保持具の使用例を説明する。
図４に示すように、ホルダ４ａ、4ｂが垂直姿勢にされている状態においては位置保持機構部９が磁気吸引力により一定保持力でその垂直姿勢を保持する。この状態で、図1に示すように、非使用状態の２本のワイヤレスマイクｗの握り部が各ホルダ４ａ、４ｂの嵌合孔ｅ１内に嵌合されると共にマイク支持部材５ａ，５ｂの開放リング部ｆ２内に挿入される。
【００１８】
そして、ワイヤレスマイクｗがホルダ４ａ、４ｂに支持されると、永久磁石９ａと磁性体９ｂとの磁気吸着が外れ、ワイヤレスマイクｗ及びホルダ４ａ、４ｂ及びマイク支持部５ａ、５ｂは水平軸ｅ２回りの後側へ倒れる。倒れる過程で、ワイヤレスマイクｗの頭部ｗ１が第1ブラシ具６ａを押してこれを水平軸７回りの後側へ変位させて第１ブラシ具６ａの下側を通過する。この後、ワイヤレスマイクｗの頭部ｗ１は第２ブラシ具６ｂに受け止められてそれ以上の揺動を規制され、ワイヤレスマイクｗは図５に示す状態となる。このさい、ワイヤレスマイクｗの頭部ｗ１は第１ブラシ具６ａ及び第２ブラシ具６ｂのブラシ毛ｇ１に擦られたり押圧状に接触するようになるため、食物片などが付着しているときはこれらが掻き落とされた状態となる。
【００１９】
図２に示すようにワイヤレスマイクｗが傾斜された状態では、ワイヤレスマイクｗの頭部ｗ１は図２中に実線で示すように第１ブラシ具６ａと第２ブラシ部６ｂの間に位置し、殺菌ランプ１０ａから発せられる紫外線を直接的に照射され消毒される。また頭部ｗ１の天頂部における食物片などがブラシ毛ｇ１で掻き落とされて少なくなっているため紫外線による殺菌や消毒の効果が促進される。
【００２０】
図５に示す状態において、いずれか一つのワイヤレスマイクｗを使用するときは、そのワイヤレスマイクｗの握り部を把持して引き上げ力を付与することによりそれを水平軸ｅ２回りの前側へ強制的に揺動させる。このとき、ワイヤレスマイクｗの頭部ｗ１は第１ブラシ具６ａを水平軸７回りの前側へ揺動させる。しかし、この第１ブラシ具６ａの揺動はストッパー８によりやがて規制されるが、ワイヤレスマイクｗの頭部ｗ１は人為力により強制的に前側に揺動されるため第1ブラシ具６ａのブラシ毛ｇ１を強制的に押し曲げて第１ブラシ具６ａの下側を前方へ通過するようになる。このとき、頭部ｗ１の天頂部は該頭部ｗ１が水平軸ｅ２回りの後側へ揺動されたときよりも遥かに力強くブラシ具のブラシ毛で摺擦されて、付着した食物片などを掻き落とす。
【００２１】
こうしてワイヤレスマイクｗが人為力によりホルダ４ａ、４ｂと一緒に垂直姿勢とされ続いて上方へ引き抜かれ、ホルダ４ａ、４ｂが垂直姿勢とされたときは、位置保持機構部９の磁力吸着作用により、各ホルダ４ａ、４ｂは一定保持力で位置保持される。
【００２２】
各ホルダ４ａ、４ｂから引き抜かれたワイヤレスマイクｗの使用が終了したときは、既述したように、これを再びホルダ４ａ、４ｂの嵌合孔ｅ１内に嵌合させるのであり、以後は既述したと同じ動作が繰り返される。ワイヤレスマイクｗがホルダ４ａ、４ｂに保持されるときに充電が実行される。
【００２３】
上記実施例では第１ブラシ具６ａは動力により作動されるものとなっていないが、これを動力により水平軸７回りへ自動的に揺動させることも差し支えない。例えば、ワイヤレスマイクｗが図１に示すような垂直姿勢の位置から図５に示すような傾斜姿勢の位置に到達したとき、第１ブラシ具６ａを動力により水平軸７回りへ揺動させる。
【００２４】
あるいは、清浄部１０２として第１ブラシ具６ａに代えて水平軸７回りに回転駆動されるロールタオルとしても良い。例えば、ワイヤレスマイクｗが浄化室３に位置付けられる過程或いは離脱する過程で、頭部ｗ１がロールタオル面を摺ることにより拭き取りが行われ、ワイヤレスマイクｗが浄化室３から離脱したとき、ロールタオルを水平軸７回りに回転させて未使用の部分を引き出すようにする。
【符号の説明】
【００２５】
１００  マイク保持具
１０２  清浄部
１０３  殺菌部
１  ベース
２  中間部
３  浄化室
４ａ、４ｂ  ホルダ
６  ブラシ具
９  位置保持機構部
ｅ２  水平軸
ｗ  ワイヤレスマイク
【図１】
0003169519.tif 000003
【図２】
0003169519.tif 000004
【図３】
0003169519.tif 000005
【図４】
0003169519.tif 000006
【図５】
0003169519.tif 000007
【図６】
0003169519.tif 000008
【図７】
0003169519.tif 000009